(57)【要約】    【課題】  エアフィルタの全体に空気を均一に案内し、エアフィルタの吸気効率を安定して持続させることのできるエアフィルタ用空気案内パネルを提供する。    【解決手段】  車両用のエンジンに送り込まれる空気を清浄化するためのエアフィルタ２と、エアフィルタ２を収容するフィルタケース３の空気取り入れ口４との間に案内パネル１を設けた。案内パネル１には、空気取り入れ口４から流入する空気をエアフィルタ２へ案内するための複数の開口部11を、エアフィルタ２側へ向かって開口幅が減少するように形成した。    【選択図】  図１
2005090404.tif 000002
【特許請求の範囲】
【請求項１】
エアフィルタを収容するフィルタケースの空気取り入れ口から流入する空気を前記エアフィルタへ案内するための複数の開口部を有するとともに、これら複数の開口部はそれぞれ前記エアフィルタ側へ向かって開口幅が減少するように形成されたことを特徴とするエアフィルタ用空気案内パネル。
【請求項２】
合成樹脂，布又は紙を成型加工することによって形成されたことを特徴とする請求項１記載のエアフィルタ用空気案内パネル。
【発明の詳細な説明】
【技術分野】
【０００１】
本発明は、車両用のエンジンに送り込まれる空気を清浄化するためのエアフィルタに設けられるエアフィルタ用空気案内パネルに関する。
【背景技術】
【０００２】
従来の車両用のガソリンエンジンやディーゼルエンジンなどのエンジンに送り込まれる空気を清浄化するエアフィルタとして、例えば、特許文献１にはエアフィルタを収納するフィルタケースにセラミックス素材を混合してなる機能性塗料を塗装したものが開示されている。この特許文献１のエアフィルタによれば、機能性塗料の波動性効果により空気中の酸素が大きな塊の状態から細かい状態に変化し、その結果として燃料と空気の混合が密に行われ、エンジンの燃焼効率が高められるというものである。
【０００３】
ところで、この種のエアフィルタは、空気取り入れ口がフィルタケースの中央部に形成されている場合が多く、その場合には空気取り入れ口から流入した空気は主にエアフィルタの中央部を通過することになるので、エアフィルタの一部（中央部）に空気中の不純物が集中して目詰まりを生じる。このため、エアフィルタの吸気効率が低下し、その結果、エンジンの燃焼効率が低下してしまうという問題があった。
【特許文献１】特開平６−１９３５２４号公報
【発明の開示】
【発明が解決しようとする課題】
【０００４】
本発明は、上記の実情に鑑みてなされたものであり、エアフィルタの全体に空気を均一に案内し、エアフィルタの吸気効率を安定して持続させることのできるエアフィルタ用空気案内パネルを提供することを目的とする。
【課題を解決するための手段】
【０００５】
上記目的を達成するために、請求項１記載のエアフィルタ用空気案内パネルは、エアフィルタを収容するフィルタケースの空気取り入れ口から流入する空気を前記エアフィルタへ案内するための複数の開口部を有するとともに、これら複数の開口部はそれぞれ前記エアフィルタ側へ向かって開口幅が減少するように形成されたものである。
【０００６】
請求項２記載のエアフィルタ用空気案内パネルは、前記請求項１において、合成樹脂，布又は紙を成型加工することによって形成されたものである。
【発明の効果】
【０００７】
請求項１記載のエアフィルタ用空気案内パネルによれば、フィルタケースの空気取り入れ口から流入する空気を複数の開口部から前記エアフィルタへ案内することにより、空気の流れを分散させ、エアフィルタの全体に空気を均一に案内することができる。また、複数の開口部をエアフィルタ側へ向かって開口幅が減少するように形成したことにより、この開口部を通過する空気の流れに乱流が発生し、より効率よく空気の流れをエアフィルタの全体に分散させることができる。その結果、エアフィルタの一部に空気中の不純物が集中して目詰まりを生じることが防止され、エアフィルタの吸気効率を安定して持続させることができる。
【０００８】
請求項２記載のエアフィルタ用空気案内パネルによれば、合成樹脂，布又は紙を成型加工することによって形成されるので、エアフィルタ用空気案内パネルを容易に形成することができる。
【発明を実施するための最良の形態】
【０００９】
以下、本発明における好ましい実施例について、添付図面を参照しながら説明する。
【実施例１】
【００１０】
図１〜図３に本発明のエアフィルタ用空気案内パネルの第１実施例を示す。図１において、１はエアフィルタ用空気案内パネルとしての案内パネルであり、この案内パネル１は、エアフィルタ２を収容するフィルタケース３内に組み込まれている。フィルタケース３は、例えば下方が開口した上ケース３Ａと、上方が開口した下ケース３Ｂとを組み合わせて、それぞれの開口を相互に塞いだ箱状に形成されている。下ケース３Ｂの側部には、外気を導入する空気取り入れ口４が形成され、上ケース３Ａの上部には、フィルタケース３を通過した空気をエンジン側に供給する空気排出口５が形成されている。
【００１１】
エアフィルタ２は、車両用のエンジンに送り込まれる空気を清浄化するものであって、不織布をジグザク状にして略長方形の平板状に形成した従来から周知の構成となっている。そして、このエアフィルタ２の空気取り入れ口４側の面に近接して、案内パネル１が設けられている。
【００１２】
案内パネル１は、合成樹脂、布又は紙を原料として、金型を用いた成型加工により一体に形成されたものであって、エアフィルタ２と空気取り入れ口４との間に配置されるとともに、案内パネル１の平面形状はエアフィルタ２の平面形状とほぼ同一に形成され、フィルタケース３の内側に嵌合している。そして、図２，図３に示すように、案内パネル１は、空気取り入れ口４から流入する空気をエアフィルタ２へ案内するための複数の開口部11を有している。
【００１３】
これら複数の開口部11は、平面形状が略正方形となっており、略長方形の案内パネル１上に規則正しく整然と配列して形成されている。また、これら複数の開口部11には、それぞれ上方、すなわちエアフィルタ２側へ向かって開口幅Ｗが減少するようにテーパー状の案内部12が平面状に形成されている。そして、図３に示すように、本実施例における開口部11の縦断面形状は上方へ向かって先細りの略台形となっており、隣接する開口部11の間のリブ13の縦断面形状は下方へ向かって先細りの略台形となっている。そして、空気取り入れ口４から流入した空気は、すべてこれらの開口部11を経由してエアフィルタ２へ導かれるようになっている。また、先細り形状の開口部11によって開口部11を通過する空気を絞ることで、一箇所に集中しようとする空気の流れを均一に分散させるようになっている。
【００１４】
この案内パネル１を製造する際には、図４に示すような開口部11の形状に対応した下型21と、略平坦な上型22の２つの金型を用いて、合成樹脂を射出成型するなどして形成すればよい。この場合、案内部12がテーパー状になっているので、案内パネル１が下型21に引っかかることなくスムーズに離型することができる。また、案内パネル１を紙や布で製造する場合は、下型21と上型22を用いて原料の紙や布をプレス成型するとともに、開口部11を穿孔するなどして形成すればよい。この場合も、案内部12がテーパー状になっているので、案内パネル１が下型21に引っかかることなくスムーズに離型することができる。
【００１５】
つぎに作用について説明する。空気取り入れ口４から流入した空気は、案内パネル１に形成された複数の開口部11を通過してエアフィルタ２へ導かれる。このとき、先細り形状の開口部11によって、特定の開口部11に集中しようとする空気の流れが絞られて、周囲のほかの開口部11へ空気の流れが分散し、案内パネル１全体の開口部11にほぼ均一に空気が流れる。また、空気取り入れ口４が下ケース３Ｂの側部に設けられているために、空気の流れは図１の右から左に向かうが、この空気の流れの一部が図３に示すように案内部12に当たって乱流が発生し、この乱流によって空気の流れがより均一に分散される。このようにして均一に分散した空気の流れがエアフィルタ２に導かれることで、エアフィルタ２の一部が目詰まりして空気の吸気効率が低下することなく、エアフィルタの効果を安定的に持続することができる。
【００１６】
以上のように本実施例の案内パネル１は、エアフィルタ２を収容するフィルタケース３の空気取り入れ口４から流入する空気を前記エアフィルタ２へ案内するための複数の開口部11を有するとともに、これら複数の開口部11はそれぞれ前記エアフィルタ２側へ向かって開口幅Ｗが減少するように形成されたものである。
【００１７】
この場合、フィルタケース３の空気取り入れ口４から流入する空気を複数の開口部11から前記エアフィルタ２へ案内することにより、空気の流れを分散させ、エアフィルタ２の全体に空気を均一に案内することができる。また、複数の開口部11をエアフィルタ２側へ向かって開口幅Ｗが減少するように形成したことにより、この開口部11を通過する空気の流れに乱流が発生し、より効率よく空気の流れをエアフィルタ２の全体に分散させることができる。その結果、エアフィルタ２の一部に空気中の不純物が集中して目詰まりを生じることが防止され、エアフィルタ２の吸気効率を安定して持続させることができる。
【００１８】
また、本実施例の案内パネル１は、合成樹脂，布又は紙を成型加工することによって形成されるので、案内パネル１を容易に形成することができる。
【実施例２】
【００１９】
図５，６に本発明のエアフィルタ用空気案内パネルの第２実施例を示す。なお、上記第１実施例と共通する部分には同じ符号を付し、その詳細な説明を省略する。本実施例では、開口部11の平面形状が略正三角形となっており、略長方形の案内パネル１上に規則正しく整然と配列して形成されている。そして、隣接する開口部11の間のリブ13の縦断面形状は下方へ向かって先細りの略三角形となっている。
【００２０】
この場合も、空気取り入れ口４から流入した空気は、案内パネル１に形成された複数の開口部11を通過してエアフィルタ２へ導かれる。このとき、先細り形状の開口部11によって、特定の開口部11に集中しようとする空気の流れが絞られて、周囲のほかの開口部11へ空気の流れが分散し、案内パネル１全体の開口部11にほぼ均一に空気が流れる。また、空気取り入れ口４が下ケース３Ｂの側部に設けられているために、空気の流れは図１の右から左に向かうが、この空気の流れの一部が図６に示すように案内部12や２つの案内部12に挟まれた頂部13に当たって乱流が発生し、この乱流によって空気の流れがより均一に分散される。このようにして均一に分散した空気の流れがエアフィルタ２に導かれることで、エアフィルタ２の一部が目詰まりして空気の吸気効率が低下することなく、エアフィルタの効果を安定的に持続することができる。
【実施例３】
【００２１】
図７，８に第３実施例を示す。本実施例では、開口部11の平面形状が略円形となっており、略長方形の案内パネル１上に規則正しく整然と配列して形成されている。そして、隣接する開口部11の間のリブ13の縦断面形状は下方へ向かって先細りの略半円形となっており、案内部12は曲面状に形成されている。この場合も上記各実施例と同様に、空気取り入れ口４から流入した空気の流れは、案内パネル１によって均一に分散される。
【実施例４】
【００２２】
図９に第４実施例を示す。本実施例では、開口部11の平面形状が略八角形となっており、略長方形の案内パネル１上に規則正しく整然と配列して形成されている。
【００２３】
以上、本発明のエアフィルタ用空気案内パネルについて説明してきたがこれに限られず、本発明の思想を逸脱しない範囲で種々の変形実施が可能である。例えば、開口部11の形状は上記各実施例のものに限らない。また、上記各実施例では、案内パネル１を全体として板状に形成した例を示したが、エアフィルタ２の形状に応じて円筒状やその他の形状に形成してもよい。
【図面の簡単な説明】
【００２４】
【図１】本発明の第１実施例を示すフィルタケースの分解状態を表した断面図である。
【図２】同上案内パネルの平面図である。
【図３】同上案内パネルの断面図である。
【図４】同上案内パネルの型形成の様子を示す断面図である。
【図５】本発明の第２実施例を示す案内パネルの平面図である。
【図６】同上案内パネルの断面図である。
【図７】本発明の第３実施例を示す案内パネルの平面図である。
【図８】同上案内パネルの断面図である。
【図９】本発明の第４実施例を示す案内パネルの平面図である。
【符号の説明】
【００２５】
１  案内パネル（エアフィルタ用空気案内パネル）
２  エアフィルタ
３  フィルタケース
４  空気取り入れ口
11  開口部
Ｗ  開口幅
【図１】
2005090404.tif 000003
【図２】
2005090404.tif 000004
【図３】
2005090404.tif 000005
【図４】
2005090404.tif 000006
【図５】
2005090404.tif 000007
【図６】
2005090404.tif 000008
【図７】
2005090404.tif 000009
【図８】
2005090404.tif 000010
【図９】
2005090404.tif 000011